(57)【要約】【課題】反射輝度をより高くすることができる偽造防止媒体、偽造防止媒体を含んだ偽造防止基材、そして当該偽造防止基材を含んだ印刷物を提供する【解決手段】偽造防止転写箔１０は、保護層１２の一方の面に接して設けられた回折格子層１３と、回折格子層１３の、保護層１２側とは反対側の面に接して設けられて反射層１４とを含み、保護層１２は、ノルボルネンとエチレンの共重合構造を含有する樹脂で形成されていることを特徴とする。【選択図】図１
2012252028.tif 000002
【特許請求の範囲】
【請求項１】
保護層と、
前記保護層の一方の面に接して設けられた回折格子層と、
前記回折格子層の、前記保護層側とは反対側の面に接して設けられて反射層とを含み、
前記保護層は、ノルボルネンとエチレンの共重合構造を含有する樹脂で形成されていることを特徴とする偽造防止転写箔。
【請求項２】
前記回折格子層は、ホログラムとなっていることを特徴とする請求項１に記載の偽造防止転写箔。
【請求項３】
請求項１または請求項２に記載の偽造防止転写箔に対して、
前記保護層の、前記回折格子層側とは反対側の面に接して設けられた支持体と、
前記反射層の、前記回折格子層側とは反対側の面に接して設けられた接着層と、をさらに加えたことを特徴とする偽造防止媒体。
【請求項４】
請求項１または請求項２に記載の偽造防止転写箔を含むことを特徴とする偽造防止基材。
【請求項５】
請求項４に記載の偽造防止基材を含むことを特徴とする印刷物。
【発明の詳細な説明】
【技術分野】
【０００１】
本発明は、偽造防止効果を有するＯＶＤ（Ｏｐｔｉｃａｌ  Ｖａｒｉａｂｌｅ  Ｄｅｖｉｃｅ）が施された偽造防止転写箔、当該偽造防止転写箔を含む偽造防止媒体、当該偽造防止媒体を含む偽造防止基材、そして当該偽造防止基材を含む印刷物に関するものであって、特に有価証券類（例えば、紙幣や商品券等）の偽造防止や真贋判定のために用いられるものである。
【背景技術】
【０００２】
紙幣や商品券などの有価証券類には、しばしば印刷技術や転写技術を用いて偽造防止のための加工が施されることがある。
様々な偽造防止のための加工技術がある中で、ＯＶＤを利用するケースが継続的に増加している。このＯＶＤは、例えばホログラムや回折格子、光学特性の異なる薄膜を重ねた多層膜を含んで形成されている。このため、ＯＶＤは、見る角度により色彩が変化するので、光の干渉を用いた立体画像や特殊な装飾画像を表現し得る場合がある。このように、ＯＶＤによって表現された精細な画像は容易には偽造できないため、ＯＶＤは代表的な偽造防止技術となっている。
【０００３】
有価証券類に対しては、上記ＯＶＤの中でもホログラム転写箔が多く採用されている。このホログラム転写箔は、プラスチックフィルムに支持される形で剥離・保護層、ホログラム形成層、反射層、接着層などの機能を有する薄膜が積層して形成されており、例えば近代の全世界の通貨単位の約半分に用いられている。このように、ホログラム転写箔は、前記偽造防止のための加工技術として、最も広く採用されている技術の一つである。なお、上記従来技術としては、例えば特許文献１に記載されたものがある。
【０００４】
ところで、ホログラムの真贋判定の一つに、高い反射輝度による目視の手法がある。しかしながら、真正品のホログラム転写箔であっても、材料や構成、製造手法により反射輝度に大きな差が生じる場合がある。この場合には、高い反射輝度が得られないため、目視による真贋判定が困難となるといった課題がある。また、ホログラム転写箔の各製造工程においても塗工や乾燥時の熱や圧力、化学反応等により一般的には塗工する層が多い場合は、工程毎に反射輝度が徐々に低下する場合がある。この場合にも、高い反射輝度が得られないため、目視による真贋判定が困難となるといった課題がある。例えば、特許文献１に記載されたホログラム転写箔は、基材上の剥離層の上に保護層を設けて耐性を付与する構造を有するが、積層数または塗工工程数の増加は、熱、圧力及び層間の屈折率差による目視輝度の低下を招く場合がある。
【先行技術文献】
【特許文献】
【０００５】
【特許文献１】実開平４−４０２５６号公報
【発明の概要】
【発明が解決しようとする課題】
【０００６】
本発明の課題は、上述した事情に鑑みてなされたものであり、反射輝度をより高くすることができる偽造防止転写箔、当該偽造防止転写箔を含む偽造防止媒体、当該偽造防止媒体を含む偽造防止基材、そして当該偽造防止基材を含む印刷物を提供することである。
【課題を解決するための手段】
【０００７】
上記課題を解決するための本願発明の一態様は、保護層と、前記保護層の一方の面に接して設けられた回折格子層と、前記回折格子層の、前記保護層側とは反対側の面に接して設けられて反射層とを含み、前記保護層は、ノルボルネンとエチレンの共重合構造を含有する樹脂で形成されていることを特徴とする偽造防止転写箔である。
上記態様によれば、保護層はノルボルネンとエチレンの共重合構造を含有する樹脂で形成されているので、従来技術と比較して、保護層の透明度（つまり、可視光の透過度）を高めることができる。よって、反射輝度をより高くすることができる。
【０００８】
また、本願発明の別の態様は、前記回折格子層は、ホログラムとなっていることとしても良い。
上記態様によれば、前記回折格子層はホログラムとなっているので、前記回折格子層がホログラムでない場合と比較して、光の反射率を高めることができる。よって、反射輝度をより高くすることができる。
【０００９】
また、前記偽造防止転写箔に対して、前記保護層の、前記回折格子層側とは反対側の面に接して設けられた支持体と、前記反射層の、前記回折格子層側とは反対側の面に接して設けられた接着層と、をさらに加えて偽造防止媒体としても良い。
上記態様によれば、接着層を含んでいるので、反射輝度をより高くした偽造防止媒体を基材（例えば、紙やフィルム）に張り付けることができる。
【００１０】
また、本願発明の他の態様は、上記態様の偽造防止転写箔を含むことを特徴とする偽造防止基材である。
上記態様によれば、上記態様の偽造防止転写箔を含んだ偽造防止基材を製造することができる。
また、本願発明の他の態様は、上記態様の偽造防止基材を含むことを特徴とする印刷物である。
【００１１】
上記態様によれば、上記態様の偽造防止基材を含んだ偽造防止基材を製造することができる。
【図面の簡単な説明】
【００１２】
【図１】本願発明に係る偽造防止媒体を示す断面図。
【図２】本願発明に係る偽造防止基材を示す断面図。
【図３】本願発明に係る偽造防止基材を示す平面図。
【発明を実施するための形態】
【００１３】
以下、本発明の実施形態に係る偽造防止媒体９及び偽造防止基材８を図１〜図３を参照しながら説明する。
図１は、本願発明に係る偽造防止媒体９を示す断面図である。そして、図２は本願発明に係る偽造防止基材８を示す断面図である。また、図３は、図２に示した偽造防止基材８を示す平面図である。
【００１４】
図１には、保護層１２と回折格子層１３と反射層１４とを積層してなる偽造防止転写箔１０が示され、この偽造防止転写箔１０は、具体的には、保護層１２の一方の面に回折格子層１３が設けられている。そして、回折格子層１３の、保護層１２側とは反対側の面に反射層１４が設けられている。
また、本実施形態では、前記偽造防止転写箔１０に対して、支持体１１と接着層１５とを積層して偽造防止媒体９を構成している。この偽造防止媒体９は、具体的には、偽造防止転写箔１０に含まれる保護層１２の、回折格子層１３側とは反対側の面に支持体１１が設けられている。そして、偽造防止転写箔１０に含まれる反射層１４の、回折格子層１３側とは反対側の面に接着層１５が設けられている。
【００１５】
なお、上記各層の形成に一般的に用いられる樹脂類及び金属類等を用いることができる。
また、回折格子層１３によって生じる文字や絵などの図柄は、偽造防止転写箔１０の転写面積内における任意に所望された位置にあり、且つその位置が任意に所望された位置に対して±０．５ｍｍ以内であることとしても良い。
【００１６】
また、偽造防止媒体９は、反射層１４を部分的に除去するディメタライズド加工が施されたホログラムであることとしても良い。
さらに、偽造防止媒体９に施されたディメタライズド加工が、回折格子層１３によって生じる文字や絵などの図柄に対し、任意に所望された位置に施されており、且つその位置が任意に所望された位置に対して±０．５ｍｍ以内であることとしても良い。
【００１７】
図２には、偽造防止転写箔１０と基材２０とが接着層１５を介して接着された構造体、即ち偽造防止基材８が示されている。
なお、この偽造防止基材８は、偽造防止媒体９に含まれる接着層１５と基材２０とを密着させた後、偽造防止媒体９に含まれる支持体１１を保護層１２から剥離させることで得られる。
【００１８】
また、この偽造防止基材８の基材２０として、紙や合成樹脂フィルムなどを用いることができる。このため、この紙や合成樹脂フィルムなどに印刷を施すことにより、偽造防止転写箔１０を含んだ印刷物を製造することができる（図示せず）。
以下、本願発明の実施例と比較例とについて説明する。
［実施例］
本発明に係る偽造防止基材８は、以下のようにして得られた。
（用紙）
基材２０となる用紙にはＯＣＲ用紙を用いた。
（偽造防止転写箔）
偽造防止媒体９に含まれる支持体１１の材料にはＰＥＴフィルムを用いた。回折格子層１３にはウレタン系樹脂を用いた。反射層１４には蒸着アルミを用いた。接着層１５には塩化ビニルと酢酸ビニルの共重合系樹脂を用いた。そして、保護層１２には環状オレフィンとエチレンの共重合体を主剤とする樹脂であるＴＯＰＡＳ５０１３Ｓ−０４（ポリプラスチックス株式会社製）を用いた。
【００１９】
なお、この保護層１２は透明性の高い単一の薄膜である。また、本願請求項に記載された「ノルボルネン」とは、環状オレフィンの一種である。
（転写機）
基材２０に偽造防止転写箔１０（つまり、ホログラム転写箔）を転写する転写機には、ＮＡＶＩＴＡＳ社製のアップダウン型熱転写装置を用いた。
（輝度測定）
回折格子を形成する際のエンボス加工後における回折効率（輝度）を測定した所、平均値は１．１９％であった。
【００２０】
［比較例］
本願発明に係る偽造防止転写箔と比較するために、比較例の偽造防止基材８は以下のようにして得られた。
（用紙）
基材２０となる用紙にはＯＣＲ用紙を用いた。
（偽造防止転写箔）
偽造防止媒体９に含まれる支持体１１の材料にはＰＥＴフィルムを用いた。回折格子層１３にはウレタン系樹脂を用いた。反射層１４には蒸着アルミを用いた。接着層１５には塩化ビニルと酢酸ビニルの共重合系樹脂を用いた。そして、保護層１２にはポリエチレンワックスによる剥離層及びメラミン樹脂による保護層の複合積層体を用いた。
【００２１】
（転写機）
基材２０に偽造防止転写箔１０を転写する転写機には、ＮＡＶＩＴＡＳ社製のアップダウン型熱転写装置を用いた。
（輝度測定）
回折格子を形成する際のエンボス加工後における回折効率（輝度）を測定した所、平均値は１．０６％であった。
以上の結果から、本願発明に係る偽造防止転写箔１０は、高い反射輝度を有することが分かった。
【産業上の利用可能性】
【００２２】
本願発明に係る偽造防止転写箔１０は、有価証券類などの物品に容易な真贋判定機能を付与することが可能であり、紙幣やＩＤカードなどの偽造防止用部材として使用される。
【符号の説明】
【００２３】
８            偽造防止基材
９            偽造防止媒体
１０          偽造防止転写箔
１１          支持体
１２          保護層
１３          回折格子層
１４          反射層
１５          接着層
２０          基材
【図１】
2012252028.tif 000003
【図２】
2012252028.tif 000004
【図３】
2012252028.tif 000005